(57)【特許請求の範囲】
【請求項１】
弾性を有し、釣り針を突き刺すことにより該釣り針の任意箇所に装着可能であり、かつ、釣り針を通す箇所に貫通していない穴が設けられていることを特徴とするワーム抜止。
【発明の詳細な説明】
【０００１】
【発明の属する技術分野】
本発明はワームと呼ばれる擬餌が、釣り針から外れ落ちるのを防止するためのワーム抜止に関するものである。
【０００２】
【従来の技術】
図７は従来のジグヘッドと呼ばれる釣り針を示した図であり、図中、(11)は軸、(12)は腰曲がり、(13)は針先、(14)はアゴ（戻り部）である。(15)は、ワームが釣り針から抜け落ちるのを防止するための抜止であり、その屈曲部分に球形の重錘部(16)が抜止(15)と一体的に形成されている。(17)は釣り糸を取り付けるリング部である。同図に示すように抜止(15)には基部に行くほど径が大きくなる円錐台状部(15a)が１段又は複数段に形成されている。
【０００３】
この釣り針は、ミミズや小魚等の形に似せたゴムや弾性を有した合成樹脂よりなるワーム(8)の中に軸(11)を抜止(15)迄差し込み且つ針先(13)がワーム(8)から突出するように取り付けて使用される。
【０００４】
前記抜止(15)は、魚釣りの最中での水流の抵抗や、投入時の遠心力や、魚の食いつきによりワームが釣り針から抜ける方向に引っ張られても、ワーム(8)に引っ掛かってワーム(8)が釣り針から抜け落ちないように保持する役割を有している。そのために、図に示すように基部ほど径が大きくなる円錐台状部(15a)を有する鉛製のもの等が一般的である。抜止(15)は重錘部(16)と共に鉛などの金属を軸(11)の廻りに鋳込む事により軸(11)に取り付けられている。
【０００５】
ワーム(8)の種類に応じて、抜止の大きさ，数，形状を適当に変更したい場合があるが、抜止(15)が一体化された釣り針では抜止(15)を変更することができない。又、抜止(15)の取り付け位置を移動させることができないので、ワーム(8)の取り付け方が限定されることになる。
【０００６】
このため、使用者はワームの種類や装着の仕方に対応した多数種の抜止付釣り針を用意する必要があった。
【０００７】
【発明が解決しようとする課題】
しかしながら、多種類の抜止付釣り針を準備するのは面倒である。そこで、多種類の抜止付釣り針を用意しなくてもワームの種類や取り付け位置の変更に対応できる手段を提供することが本発明の課題となる。
【０００８】
【課題を解決するための手段】
本発明の請求項１のワーム抜止(1)は、弾性を有し、釣り針を突き刺すことにより該釣り針の任意箇所に装着可能であり、かつ、釣り針を通す箇所に貫通していない穴(1a)が設けられていることを特徴とする。
【０００９】
これによれば、ワーム(8)の種類に併せてそれに対応したワーム抜止(1)を任意の釣り針に取り付けることができ、必要なら、釣り針から取り外すこともできる。
【００１０】
又、装着位置を変更することができるので、ワーム(8)の取り付け方を変更する場合でも、ワーム抜止(1)が釣り針の任意の位置にくるようにワーム抜止(1)をずらして移動させることができる。
【００１１】
さらにまた、穴(1a)により釣り針が刺しやすく、貫通していない部分で釣り針を強く締め付けホールド性の高いワーム抜止(1)とすることができる。
【００１２】
【発明の実施の形態】
以下、本発明を好適な実施例を用いて説明する。
【００１３】
［実施例１］
図１は本実施例のワーム抜止(1)の断面図であり、図２はこのワーム抜止(1)を装着した釣り針の一例を示した図である。ワーム抜止(1)の全体形は円錐台状であり、径の大きな底面(1b)の中心部から上面(1c)の中心部に向かって針差込穴(1a)が設けられている。この、針差込穴(1a)は貫通していない（上面(1c)には達していない）。
【００１４】
釣り針は一例として重錘部(6)を備えた釣り針を使用した。図中、(2)は軸、(3)は針先である。ワーム抜止(1)は、軸の重錘部の近傍に取り付けられている。
【００１５】
釣り針の軸(2)への抜止(1)の取付は針先(3)を針差込穴(1a)に突き刺し、貫通させてワーム抜止(1)の反対側（上面(1c)側）から突出させる。そして、釣り針の任意の位置まで差し入れて取り付けが完了する。
【００１６】
針差込穴(1a)があるのでワーム抜止(1)の中心部に刺し易く、また貫通していなかった部分が釣り針を周囲から強く圧迫するために、ワーム抜止(1)の装着位置がずれにくい。
【００１７】
ワーム抜止(1)の材料としては、各種ゴム，発泡ウレタン樹脂，弾性プラスチック等が利用できる。又、この抜止は１つだけ装着してもよいし、２つ以上並設して装着してもよい。
【００１８】
また、本発明のワーム抜止(1)は金属と異なり柔軟性があるので、装着する場合や装着したワーム(8)に魚が食いついて引っ張ったとしてもワーム抜止(1)の角部分が装着したワーム(8)に切り裂くように食い込むこんで、ワーム(8)を傷つけてしまうことがない。
【００１９】
本実施例ではワーム抜止(1)の形状を、針先側に行くほど径が小さくなるような円錐或いは円錐台状としたが、他の形状、例えば針先側にアールが形成される半球状、球状、ラグビーボールのような楕円体状、卵型又は瓢箪型等の形状としても良い。図３は、球状のワーム抜止(21)を釣り針に取り付けた状態の一例を示した図である。
【００２０】
又、中央の貫通していない針差込穴はなくても良いし、反対に貫通した針差込穴を設けても良い。
【００２１】
いずれの場合も針先(3)側ほど径が小さくなるようなテーパー又はアールが形成されることになるので、ワームは取り付けやすく、外れにくい。
【００２２】
釣り針の針先(3)を、ワーム(8)に差し込んで抜止部分までワーム(8)内に入り込むように押し込む。抜止(1)は弾性体で形成されている事と、針先(3)側が細いテーパ状の円錐台、或いは針先(3)側がアールの半円状、又は球その他前述のような形状であるので、ワーム(8)に大きな傷をつけることなく簡単に挿入され、一旦、ワーム(8)が装着されると角部分や径の大きな部分が食い込んで抜けにくい。そして、針先(3)をワーム(8)から突き出すようにする。
【００２３】
図４〜図６はワーム抜止の使用のバリエーションを示した図である。図４は、ワームをいわゆるチョン掛けにする場合に適した位置にワーム抜止が取り付けられている。図５は、ワーム抜止(1)がオフセットワームフック(5)に取り付けられている。このように、本発明のワーム抜止は、任意の釣り針の、任意の位置に取り付けることができる。
【００２４】
図６は、軸に「ケン」と呼ばれる戻り部(9a)を有した釣り針(9)にワーム抜止(1)を取り付けている。この「ケン」(9a)がワーム抜止(1)に食い込むことにより、ワーム抜止(1)が更に抜けにくくなる。尚、図示していないが、抜けにくくするという点では、釣り針のワーム抜止取り付け位置の表面に凹凸を備えることにより、摩擦を大きくして抜けにくくすることも効果がある。
【００２５】
上記の実施例ではワーム抜止は、その弾力により釣り針に固定されていたが、必要ならワーム抜止を釣り針に接着剤等で固定することもできる。
【００２６】
【発明の効果】
以上述べたように、本発明により、釣り針に着脱可能なワーム抜止を提供することができ、これによりワームの種類や取り付け位置の変更にも容易に対応することが可能となる。また、ワームの破損も防止することかできる。
【図面の簡単な説明】
【図１】ワーム抜止を取り付けた釣り針を示した図。
【図２】実施例のワーム抜止の拡大断面図。
【図３】球状のワーム抜止を取り付けた釣り針を示した図。
【図４】ワーム抜止をいわゆるチョン掛け用に取り付けた状態を示した図
【図５】ワーム抜止が取り付けられたオフセットワームフックを示した図。
【図６】ワーム抜止が取り付けられた「ケン」を有する釣り針を示した図。
【図７】従来のジグヘッドを示した図。
【符号の説明】
(1)  ワーム抜止（円錐台状）
(3)  釣り針の針先
(8)  ワーム
(21)  ワーム抜止（球状）
【図１】
0003657125.tif 000002
【図２】
0003657125.tif 000003
【図３】
0003657125.tif 000004
【図４】
0003657125.tif 000005
【図５】
0003657125.tif 000006
【図６】
0003657125.tif 000007
【図７】
0003657125.tif 000008